(57)【要約】【課題】  一方で光効率および光放射の均一化に関してまた他方で貯蔵コストの観点において最適化されたホモジナイザあるいは光硬化装置を提供する。【解決手段】  互いに非同形である入力面と出力面を有するホモジナイザであり、その際前記入力面と出力面の間に少なくとも一つの斜面が延在する。前記斜面が起伏を備える。前記のホモジナイザは、反射性をもってＬＥＤチップ（１４）を包囲する中空体として形成する。【選択図】図７
2018537830.tif 000002
【特許請求の範囲】
【請求項１】
互いに非同形である入力面と出力面を有していてその際起伏（１８）を有する少なくとも一つの斜面が前記入力面（１２）と出力面（２２）の間に延在するホモジナイザであり、前記ホモジナイザ（１０）を内部が反射性の中空体として形成するとともに、そのホモジナイザ（１０）内にＬＥＤチップ（１４）を収容することを特徴とするホモジナイザ。
【請求項２】
入力面（１２）を多角形、特に四角形、極めて好適には長方形に形成し、および／または出力面（２２）を丸形、特に円形に形成することを特徴とする請求項１記載のホモジナイザ。
【請求項３】
入力面（１２）に隣接して特に集光レンズと共に被包成形した複数のＬＥＤチップ（１４）を配置し、その際前記ＬＥＤチップ（１４）を完全に反射器内に収容することを特徴とする請求項１または２記載のホモジナイザ。
【請求項４】
ホモジナイザ（１０）はＬＥＤチップが固定された基礎盤（３６）まで中空体として延在することを特徴とする請求項１ないし３のいずれかに記載のホモジナイザ。
【請求項５】
特に透明の遮蔽盤を使用して出力面（２２）を遮蔽し、また特に前記遮蔽盤をホモジナイザ（１０）内に設置するとともに出力面（２２）の側の壁部（２４）上の周囲部で特に透明な接着剤を使用してホモジナイザ（１０）に接着し、その際特に前記遮蔽盤をホモジナイザ（１０）の出力面（２２）に対して鈍角に着合させてそこで固定することを特徴とする請求項１ないし４のいずれかに記載のホモジナイザ。
【請求項６】
ホモジナイザ（１０）は、出力側においてホモジナイザ（１０）の外側半径の少なくとも１／４、入力側においては少なくとも１／３に相当する壁厚を有する外側が中実で特に実質的に円筒形の部材として形成することを特徴とする請求項１ないし５のいずれかに記載のホモジナイザ。
【請求項７】
中空体の内部と中空体の外部の領域、特にＬＥＤチップ（１４）が延在する平面の領域との間に延在するセンサ光経路（３８，４０）をホモジナイザ（１０）が備えることを特徴とする請求項１ないし６のいずれかに記載のホモジナイザ。
【請求項８】
センサ光経路（３８，４０）がセンサ（３０）に達していて、さらにそこから開始してホモジナイザの出力面（２２）に向かって半径方向内側に斜めに延在することを特徴とする請求項７記載のホモジナイザ。
【請求項９】
起伏（１８）がホモジナイザ（１０）の内周面に延在する複数のリブ（２０）を備え、特に１０ないし１００本のリブ（２０）、特に好適には約２０本のリブ（２０）からなることを特徴とする請求項１ないし８のいずれかに記載のホモジナイザ。
【請求項１０】
起伏（１８）のリブ（２０）が一様な形状をもって入力面（１２）と出力面（２２）の間で延在し、および／または起伏（１８）のリブ（２０）が規則的なパターン、特に相互に等しい間隔で配置されることを特徴とする請求項１ないし９のいずれかに記載のホモジナイザ。
【請求項１１】
起伏（１８）のリブ（２０）が実質的に相互に平行であるが互いに相違する形状をもって延在し、および／または起伏（１８）の形状、特にリブ（２０）の形状をホモジナイザ（１０）によって伝送される光波長あるいは光波長帯に適合させることを特徴とする請求項１ないし１０のいずれかに記載のホモジナイザ。
【請求項１２】
ホモジナイザ（１０）の起伏（１８）が反射層、特に蒸着された反射層を備えることを特徴とする請求項１ないし１１のいずれかに記載のホモジナイザ。
【請求項１３】
ホモジナイザ（１０）の出力面（２２）が光導体の入力端子に隣接していて、特にそれら両方の面が相互に整列することを特徴とする請求項１ないし１２のいずれかに記載のホモジナイザ。
【請求項１４】
ホモジナイザを分割式、特に二分割式に形成し、その際ホモジナイザ（１０）の部品を特にスナップ結合によって相互に固定することを特徴とする請求項１ないし１３のいずれかに記載のホモジナイザ。
【請求項１５】
ホモジナイザ（１０）を光硬化装置の主反射器として形成して光源の光線軌道内に後置し、また特に光導ロッドに対して前置することを特徴とする請求項１ないし１４のいずれかに記載のホモジナイザを備える光硬化装置。
【発明の詳細な説明】
【技術分野】
【０００１】
この発明は、請求項１前文に記載のホモジナイザならびに請求項１５前文に記載の光硬化装置に関する。
【背景技術】
【０００２】
特に歯科用の光硬化装置において光源から放射された光を治療箇所に誘導するために光導体を使用することが久しい以前から知られている。光導体は光導ロッドあるいは光ファイバロッドとして形成するか、それらの組合せとすることができる。
【０００３】
通常、重合を確立させるために所与の波長において発光して硬化すべき歯科補綴部材内に埋入された光重合開始剤（例えばカンファキノン）を励起するＬＥＤチップまたはレーザチップが光源として使用される。
【０００４】
重合が均一でかつ適宜に深く浸透して達成されることが極めて重要である。数ｍｍの深さを有する歯科補綴部材において深い領域の重合を確立するために適宜に長い重合時間を選択する一方で、水平方向、すなわち光導ロッドの照射軸に対して横断方向においても均一に重合を実行させることが重要である。例えば米国特許出願公開第４７４２４３２号（Ａ１）明細書によって開示されているように、通常光源から放射された光が集光される。それによって放射された光の中央強調ならびに焦点合わせも実施される。その中央強調は肉眼では容易に確認できず、歯科医師は前記中央強調のために異なったものになる場合でも例えば１ｃｍの直径を有する照射領域全体にわたって均一な光照射が実行されるものと認識する。
【０００５】
前記の中央強調および不均一な照射を防止するために、光導ロッドもしくは光ファイバロッドと光源の間に混合器を設置することが以前から知られている。光混合器として例えばガラス部材の内部に均等に配置された小型反射体を備えたガラス部材を使用する。均一化および拡散を確立するためにガラス部材あるいはその他の透過性材料の不透明化を使用することもできる。
【０００６】
さらに、実質的に光混合器の縦方向、すなわち実質的に光線の方向に対して平行に延在するリブを光混合器の外側に設けることが提案されている。前記縦リブは、特に周囲空気とガラスあるいはその他の透明な樹脂からなる光混合器との間の異なった屈折率のために、リブ角度に応じて異なった反射を生成する。
【０００７】
また、鏡面層を蒸着させることによってガラス製光混合器のリブを鏡面加工して反射効果を向上させることも提案されている。
【０００８】
ＬＥＤチップは通常四角形あるいは正方形の外寸を有する配列内に配置される。
【０００９】
他方、光硬化装置の所要の出力および設計に応じて多様な形式のＬＥＤチップ配列を使用することができ、従って最適な光混合を達成するために異なった光混合器を用意する必要がある。
【００１０】
また、８ｍｍ径および１０ｍｍ径の光導ロッドが存在する。従って無損失の光出力を保証するために出力側においても多様な光放射面を形成する要求に応じる必要があり、それによって必要な光混合器の数がさらに倍増する。
【００１１】
さらに、異なった入力側および出力側形状を有するホモジナイザとしてのリブ型混合器が既に提案されている。このホモジナイザは通常入力面と出力面を備えていて透過性の材料が充填される。それに代えて中空体として形成することもできる。その際の難点は追加部材としてのホモジナイザによって発生する追加的なコストおよび光学損失であり、従ってその種のホモジナイザは一般にあまり使用されていない。
【発明の概要】
【発明が解決しようとする課題】
【００１２】
従って本発明の目的は、一方で光効率および光放射の均一化に関してまた他方で貯蔵コストの観点において最適化された、請求項１あるいは請求項１５前文に記載のホモジナイザあるいは光硬化装置を提供することである。
【課題を解決するための手段】
【００１３】
前記の課題は本発明に従って請求項１または請求項１５によって解決される。従属請求項によって好適な追加構成が定義される。
【００１４】
本発明によれば、光混合器あるいはホモジナイザが周知の方式によって入力面から出力面に向かって延在する起伏を備える。本発明に係るホモジナイザは中空体として形成される。内部には空気あるいはその他の気体が存在し、また必要に応じて真空にされる。
【００１５】
本発明に従ってホモジナイザが光源を包囲することが極めて好適である。ホモジナイザは反射性の中空体として形成されるため光源から放射された光を反射し、従ってホモジナイザが同時に光源に対する主反射器として作用する。
【００１６】
従って独立したホモジナイザを用意するための追加的なコストが排除され、すなわち本発明に係る中空体が二重の機能を備えていてそれによって意外なほど簡便な方式で従来の解決方式に対して大幅な改善を提供する。
【００１７】
ホモジナイザは出力面上で透明なプレートによって遮蔽することが好適である。ホモジナイザの中空体は、入力面に対して平行に延在していて光源のＬＥＤチップが取り付けられている基礎プレートに入力側端面が接合することが好適である。ここでも容易に密封を形成することができる。従って中空体の内部空間が密封され、それによって汚染の発生が防止される。
【００１８】
本発明によれば、ホモジナイザが外周に沿って延在する起伏を有する部材として存在する。従って中空体の壁部は平面状でなく周囲全体にわたって起伏を有する。一実施形態によれば変形性を利用し、従って本発明係る中空体によって実用上考えられる全ての入力側および出力側形状に適応することができる。
【００１９】
変更された構成形態によればホモジナイザを中実な部材として形成し、それを外側が実質的に円筒形であるとともに内側が実質的に円錐台形になるようにすることが好適である。この構成形態において、基礎プレート上への取り付けを容易にするために、ホモジナイザを二分割式あるいはより多くの部品から構成することが有意義あるいは必要となる。
【００２０】
ホモジナイザの円筒形の外周面に円筒形状を中断するスナップロック留め具を形成し得ることも理解される。
【００２１】
さらに中実な部材としての構成がＬＥＤチップの熱放出を改善する利点を有するが、その際必要に応じてホモジナイザの外側に冷却リブを設けることもできる。
【００２２】
出力面上の直径の１０ｍｍから８ｍｍへの縮小を達成するために、中空体を起伏化された内壁と共に対応する８ｍｍ光導ロッド用の収容ソケットに単純に押し込み、その光導ロッドがそこからさらに延在するようにする。起伏化された内壁は適宜に嵌合する程に弾力的であり、またその弾力性によって起伏の均一性を保持する。リブ角度はいくらかより鋭角であるが、ホモジナイザ機能を阻害するものではない。
【００２３】
本発明に従って入力側においてもホモジナイザ中空体の壁部を必要に応じて変形させることができ、従って準備した光硬化装置のＬＥＤチップを多様に装着する場合でも最適な調節が可能になる。本発明に係る中空体の入力側と出力側においていわば自動的な形状適合を達成することができる。
【００２４】
加えて、本発明に係る中空体の構成において長方形から丸形への移行が自動的に設定される。一般的に入力面は長方形あるいは多角形であり、また出力面は丸形である。そのことは自動的に中空体の壁部の傾斜を前提とするが、そのことも入射光の複数回反射および混合に対して好影響をもたらす。
【００２５】
特にホモジナイザの入力側に集光レンズを設ける場合、例えば平凸レンズによってそれを構成することができる。
【００２６】
傾斜したリブを有する起伏によって入射した光線の略無損失または少なくとも低損失の均一化が達成される。
【００２７】
入射光が入射および反射される傾斜角度によってその入射光が複数回反射され、そのことが拡散を向上させる。
【００２８】
別の好適な構成形態によれば、中空体が２個の半殻から形成される。それらは嵌め込み結合によって相互に連結することができ、従って断面が環状の中空反射器を形成する。
【００２９】
それに代えて本発明に係る起伏反射器を任意の数の断片から組成することができる。反射器は高い表面品質を有するポリカーボネートから形成することが好適であり、反射性のアルミニウム層からなる被覆と追加的にその上の保護層を有する。
【００３０】
反射性の中空体の入力側あるいは入力面は、使用される（ならびに場合によって被包成形される）ＬＥＤチップに適合する任意の形状を有することができる。通常被包成形されたＬＥＤチップの包絡曲線は少なくとも多角形であり、そこで中空体は表面実装技術によって装着された被包成形ＬＥＤチップに緊密に接合することができる。一般的にＬＥＤチップの成形材料がそれぞれ集光レンズを形成する。
【００３１】
相互に離間したＬＥＤチップが少なくとも部分的に異なった放射極大値を有する。それらのＬＥＤチップは少なくとも部分的に光導ロッドの入力側の光軸に対して非同軸に配置される。そのことは少なくとも１色の光のホモジナイザ内への非対称な導入を前提とする。本発明に係る反射性の中空体の複数の軸で傾斜したリブ上における反射のため、放射された光線が中空体から放出されるまで間に中空体内で複数回繰り返して反射されながら伝送される。
【００３２】
従って反射器として作用する中空体内にＬＥＤチップを配置することが極めて好適である。放射された光線が全て反射され、特に傾斜した角度でかつ複数回反射され、そのことが均一化に対して極めて有効である。
【００３３】
そのため、本発明に係るホモジナイザは内側が反射性の中空体として形成することが好適である。
【００３４】
光導ロッドを固定的に装着した際はホモジナイザの出力側の追加的な遮蔽盤は不要となるが、特に光導ロッドが交換可能である場合に透明な遮蔽盤を設けることが好適である。８ｍｍ光導ロッドならびに１０ｍｍ光導ロッドの両方に適合するある程度柔軟な連結を形成することも可能である。
【００３５】
起伏のリブは任意の適宜な軌道を有することができる。実用において、リブの輪郭は鋸型あるいは三角型が極めて有効であることが判明した。また、リブあるいは起伏を例えば一定の周期を有する三角形あるいは正弦波等の規則的な形状に形成せずにむしろ不規則に形成し、入射した光線が任意かつ不定の方式で反射されるようにすることも好適である。
【００３６】
リブは一様な形式で入力面から出力面まで延在させることが好適であるが、変更された構成形態によれば少なくともリブの一部の高さおよび／または幅を入力面から出力面までの軌道の間に変化させることも有効であり得る。
【００３７】
本発明の好適な構成形態によれば、入力面と出力面の周囲長が等しくなる。
【００３８】
本発明の好適な構成形態によれば、起伏のリブが入力面から出力面まで連続的に延在する。
【００３９】
本発明の好適な構成形態によれば、起伏のリブがホモジナイザの半径方向内側に向かって鋭角を成すように延在する。
【００４０】
本発明の好適な構成形態によれば、起伏のリブがホモジナイザの半径方向内側に向かって丸形を成すように延在し、特にリブの相互間隔および／またはリブの高さの１／３未満、好適には約１／６の半径を有する丸形を成すように延在する。
【００４１】
本発明の好適な構成形態によれば、リブが斜面を備えていて隣接するリブの斜面の間の角度が６０ないし１１０°、好適には８０°超となる。
【００４２】
本発明の好適な構成形態によれば、リブが断面で見て実質的に正弦波の輪郭を有する。
【００４３】
本発明のその他の詳細、特徴、ならびに種々の利点は、添付図面を参照しながら以下に記述する実施例の説明によって明らかさにされる。
【図面の簡単な説明】
【００４４】
【図１】隣接して配置されたＬＥＤチップと共に切断して示されたホモジナイザの構成例を概略的に示した説明図である。
【図２】ＬＥＤチップがホモジナイザ内に存在する、本発明に係るホモジナイザの実施形態を示した説明図である。
【図３】図２の実施形態の断面図である。
【図４】図２および図３の実施形態を別の視点から示した説明図である。
【図５Ａ】本発明に係るホモジナイザと共に使用する多様なＬＥＤチップ配列例を示した説明図である。
【図５Ｂ】本発明に係るホモジナイザと共に使用する多様なＬＥＤチップ配列例を示した説明図である。
【図５Ｃ】本発明に係るホモジナイザと共に使用する多様なＬＥＤチップ配列例を示した説明図である。
【図５Ｄ】本発明に係るホモジナイザと共に使用する多様なＬＥＤチップ配列例を示した説明図である。
【図６Ａ】本発明に係るホモジナイザの内側反射器の構成例を示した説明図である。
【図６Ｂ】本発明に係るホモジナイザの内側反射器の構成例を示した説明図である。
【図６Ｃ】本発明に係るホモジナイザの内側反射器の構成例を示した説明図である。
【図７】本発明に係るホモジナイザの別の実施形態を示した断面図である。
【発明を実施するための形態】
【００４５】
図１には、例示的なホモジナイザ１０が光硬化装置の一部として示されている。ホモジナイザ１０の入力面１２に隣接してＬＥＤチップ１４の集合体が配置され、それらはいずれも透明な成形材料１６内に集光レンズを形成しながら被包成形されている。この実施例において被包成形されたＬＥＤチップ１４は入力面から離間している。入力面１２は略正方形であり、図１においてはホモジナイザ１０を切断した状態で四角形に示されている。
【００４６】
ホモジナイザ１０は中空体として形成され、その外周上に起伏１８を備える。起伏１０は外周の周りに均等に配置された多数のリブ２０からなる。リブ２０はホモジナイザの延長にわたって外周上に形成され、すなわち入力面１２から出力面２２まで延在する。
【００４７】
図示された実施例においてリブ２０は三角リブとして形成されている。ホモジナイザ１０の壁部２４を形成する材料全体が起伏化されていて、すなわち壁部２４は内側と外側の両方が起伏化されている。
【００４８】
加えて壁部２４は内側に鏡面加工を有する。その鏡面加工は例えば蒸着したアルミニウム層によって形成することができる。安定して良好な反射特性を保持するために、その上にさらに保護層を塗付することが好適である。
【００４９】
中空体あるいはホモジナイザ１０はそれの壁部２４と共に少なくとも内側に高い表面品質および低い租度を備えたポリカーボネートによって形成される。
【００５０】
図示された実施例において出力面２２は円形である。その出力面は図示されていない光導体の入力端子に光を伝送するために適している。前記光導体の入力端子は最大でも数％の誤差をもって正確に出力面２２に一致する。従って実質的に完全なホモジナイザ１０から光導体への光伝送が保証される。
【００５１】
図１には概略的に光線２５が示されており、それが複数回反射されてホモジナイザ１０内を伝送される。特に重要なことはリブ２０の内側における斜め反射であり、それによって非対称すなわち不規則な光線２５の軌道につながり、所要の均一化を達成する。
【００５２】
図２には本発明に係るホモジナイザの実施形態が示されている。この実施形態において入力面１２がＬＥＤチップ１４に対する長方形の包絡線として形成される。その意味は、ホモジナイザが壁部２４の内面によってＬＥＤチップ１４の集合体を、特に比較的近接して、包囲することである。この実施形態によれば対称に配置された４個のＬＥＤチップ１４が設けられる。図７には断面図であるため２個のＬＥＤチップ１４のみが示されている。入力面１２がＬＥＤチップ１４の周りに延在し、その際特に比較的緊密にＬＥＤチップ１４の外側に近接する。
【００５３】
その場合ＬＥＤチップ１４はホモジナイザ１０内に収容される。この実施形態によれば、放射された光が直ぐに全てホモジナイザ１０内に到達しリブ２０上で反射されて非対称に屈折する確率が高くなることが保証される。
【００５４】
図２に示された実施形態において、壁部２４は湾曲させて管状に溶接したポリカーボネートのフィルムから形成される。壁部２４は外側が平滑で内側に起伏化された反射器が形成される。
【００５５】
ここでも出力面２２は円形である。その出力面は入力面１２と同等な周囲長を有する。形状の不整合のためにリブ２０の傾斜に加えて反射器２６の傾斜した側面が形成される。反射器２６および起伏１８の多軸の傾斜性が均一化特性の改善に寄与する。
【００５６】
図２のホモジナイザの実施形態が図３に断面図で示されている。これ以降の図においても同一の構成要素は同一の参照符号によって示される。図３により、入力面１２ならびに出力面２２の両方に対して垂直な起伏の延在が明確に示されている。また、周回状の壁部２４が斜めに延在して入力面および出力面に適合することも理解される。
【００５７】
図４に示された実施形態は図２の実施形態と同様である。追加的に、光線２５がどのように複数回反射され、また起伏１８上で反射されて何度も屈折しながら入力面１２から出力面２２の方向に伝送されるかが示されている。
【００５８】
図５Ａないし図５Ｄには、ＬＥＤチップ１４を包含した入力面１２の多様な形成例が示されている。壁部２４ならびに反射性の中空体１０はいずれも設置されたＬＥＤチップ１４の直線的な外周に沿って延在する。隣接しているが相互にずれている角部の間では斜めに延在し、従って被包成形されたＬＥＤチップ１４の周囲で包絡線が緊密に隣接して延在する。
【００５９】
図５Ａにより、同一波長で直線状に配置されたＬＥＤチップ１４の配列が示されている。そこから離間しているが中心対称な配置で別のより大きな成形されたＬＥＤチップが設けられ、それも壁部２４によって包囲される。
【００６０】
そのため図５Ａによれば壁部２４が六角形の形状を有する。
【００６１】
図５Ｂには被包成形されたＬＥＤチップ１４の配列が示されており、追加的に外周上のＬＥＤチップの間隙に配置されたセンサ３０を備えている。センサ３０は、周知の方式により照射された材料、例えば歯科材料の表面から反射された光線を検出するように機能する。図示された実施例においてセンサ３０は壁２４によっても包囲される。
【００６２】
変更された構成形態によれば、センサ３０を均一化から除外して壁部２４がセンサの内側であるがＬＥＤチップ１４の外側を延在するように構成する。その場合センサ３０が存在する位置において壁部２４が幾らか切り下がるようにすることができる。
【００６３】
この実施形態は、ＬＥＤチップの発光の間、すなわち発光と同時でパルス休止間隔以外の時点に反射光を検出する必要がある場合に極めて好適である。
【００６４】
図５Ｃには非対称なＬＥＤチップの配列が示されている。より大きな被包成形されたＬＥＤチップ１４に対して横方向あるいは対角線上でずらして３個のＬＥＤチップ１４が配置される。ここでもホモジナイザ１０の壁部２４が可能な限り短いルートでＬＥＤチップ１４の周りを延在する。
【００６５】
図５Ｄには、さらに別のＬＥＤチップ１４の配列を有する構成形態が示されている。小さな成形材料からなる３個のＬＥＤチップ１４が三角形に配置され、斜辺に隣接してより大きな成形材料からなるＬＥＤチップ１４が配置される。
【００６６】
ここでは全てのＬＥＤチップ１４を包囲する五角形の壁部２４の構成が提供される。
【００６７】
図６により起伏１８の２種類の形成例が示されている。図６Ａによれば、起伏（ならびにリブ２０）が実質的に正弦波形状に延在する。リブ２０の側面３２が約４５°の傾斜角度αを有する。この角度は図６のｄＣとｄＨ、すなわち周期とリブの高さの関係によって決定される。それらの値は一定であるか、または内側に延在する起伏１８の周囲に沿って変化することが可能である。
【００６８】
図６Ａと図６Ｃには正弦波形状の起伏が示されているが、図６Ｂによれば斜辺角度αを有する三角形の起伏が示されている。角度αは必要に応じて広範囲に調整することができる。図示された実施例においては約５０°であり、従ってリブの開口角が８０°となる。別の数値例によればα＝２０°となり、開口角１４０°に相当する。
【００６９】
図７により別のホモジナイザの実施形態が示されている。ホモジナイザ１０の壁部２４は中実に形成され、またホモジナイザ１０は二分割式でその際壁部２４の円筒形の外面が適宜な係止スナップによって中断されるが円筒形の基本構造は保持される。
【００７０】
ホモジナイザ１０は、出力側においてホモジナイザ１０の外側半径の少なくとも１／４、入力側においては少なくとも１／３に相当する壁厚を有する、外側が中実で特に実質的に円筒形の部材として形成される。
【００７１】
この実施形態において、ホモジナイザ１０の内壁上で起伏１８が反射器を形成しながら鏡面加工されまた反射器２６は出力面２２の方向に向かって円錐形に拡幅するため、ホモジナイザ１０が同時にホモジナイザおよび反射器として機能する。
【００７２】
この実施形態において出力面２２が透明な遮蔽盤３２によって被覆され、その遮蔽盤がさらに固定リング３４によってホモジナイザに対して密封して固定される。
【００７３】
図７の実施形態の特徴は、ＬＥＤチップ１４と共に共通の基礎盤３６上に装着されるセンサ３０の統合である。従ってセンサ３０はＬＥＤチップ１４と同じ平面内に存在する。
【００７４】
ホモジナイザ１０の内部からセンサ３０まで傾斜したセンサ光経路３８と４０が延在し、好適にはその傾斜によって反射光、例えば歯表面から反射された光を捕捉してセンサ３０に伝導する。
【００７５】
傾斜角度はホモジナイザ１０の光軸に対して例えば３０°とすることができるが、僅か１５°とするかまたは例えば４０°とすることもできる。
【００７６】
センサ光経路３８および４０はいずれもセンサ３０から顕著に離間して終止する。そのため適宜な熱分離が達成される。ホモジナイザと基礎盤からなる構成ユニット全体が閉鎖されたハウジング内に収容され、従って前記センサ光経路を介して伝送される光がセンサ３０の領域に到達する唯一の光となる。
【００７７】
従ってこの実施形態によれば本発明に係るホモジナイザ１０が三重の機能を有する。すなわちホモジナイザが反射器として機能し、またリブ２０を有する起伏のために光混合器として、さらに同時にセンサ光の伝導体として機能する。
【図１】
2018537830.tif 000003
【図２】
2018537830.tif 000004
【図３】
2018537830.tif 000005
【図４】
2018537830.tif 000006
【図５Ａ】
2018537830.tif 000007
【図５Ｂ】
2018537830.tif 000008
【図５Ｃ】
2018537830.tif 000009
【図５Ｄ】
2018537830.tif 000010
【図６Ａ】
2018537830.tif 000011
【図６Ｂ】
2018537830.tif 000012
【図６Ｃ】
2018537830.tif 000013
【図７】
2018537830.tif 000014
【国際調査報告】
2018537830.tif 000015
2018537830.tif 000016
2018537830.tif 000017
2018537830.tif 000018
2018537830.tif 000019
2018537830.tif 000020
2018537830.tif 000021
2018537830.tif 000022
2018537830.tif 000023
2018537830.tif 000024
2018537830.tif 000025
2018537830.tif 000026